(57)【要約】【課題】ステンレス製のボルトの劣化を抑制できる照明装置を提供する。【解決手段】照明装置１は、発光器２、支持体３、ボルト５及び発光器６を備える。支持体３は、発光器２を支持する。ボルト５は、支持体３を固定するためのボルトである。ボルト５はステンレス製である。発光器６は、ボルト５に紫外線を当てるためのものである。例えば、ボルト５に結露水が付着する。ボルト５に付着した結露水に紫外線を当てることにより、結露水から塩化物イオンを除去することができる。【選択図】図２
2018022612.tif 000002
【特許請求の範囲】
【請求項１】
第１発光器と、
前記第１発光器を支持する支持体と、
前記支持体を固定するためのステンレス製の第１ボルトと、
前記第１ボルトに紫外線を当てるための第２発光器と、
を備えた照明装置。
【請求項２】
前記第２発光器が発した紫外線を反射し、反射した紫外線を前記第１ボルトに当てる第１反射器を更に備えた請求項１に記載の照明装置。
【請求項３】
前記支持体を前記第１発光器に固定するためのステンレス製の第２ボルトと、
前記第２ボルトに紫外線を当てるための第３発光器と、
を更に備えた請求項１又は請求項２に記載の照明装置。
【請求項４】
前記第３発光器が発した紫外線を反射し、反射した紫外線を前記第２ボルトに当てる第２反射器を更に備えた請求項３に記載の照明装置。
【請求項５】
第１発光器と、
前記第１発光器を支持する支持体と、
前記支持体を固定するためのステンレス製の第１ボルトと、
太陽光を反射し、反射した太陽光を前記第１ボルトに当てる反射器と、
を備えた照明装置。
【請求項６】
前記第１発光器は、
ＬＥＤ光源と、
前記ＬＥＤ光源で発した熱が伝わる放熱器と、
を備えた請求項１から請求項５の何れか一項に記載の照明装置。
【請求項７】
前記第１ボルトは、前記支持体を下向きの面に固定する請求項１から請求項６の何れか一項に記載の照明装置。
【請求項８】
前記第１発光器の発光状態に基づいて前記第２発光器を制御する制御器を更に備えた請求項１から請求項４の何れか一項に記載の照明装置。
【請求項９】
前記制御器は、前記第１発光器が発光している時に前記第２発光器を発光させない請求項８に記載の照明装置。
【請求項１０】
現在時刻に基づいて前記第２発光器を制御する制御器を更に備えた請求項１から請求項４の何れか一項に記載の照明装置。
【請求項１１】
湿度を検出する湿度計と、
前記湿度計によって検出された湿度に基づいて前記第２発光器を制御する制御器と、
を更に備えた請求項１から請求項４の何れか一項に記載の照明装置。
【請求項１２】
電気機器と、
前記電気機器を支持する支持体と、
前記支持体を固定するためのステンレス製のボルトと、
前記ボルトに紫外線を当てるための発光器と、
を備えた電気設備。
【請求項１３】
前記発光器が発した紫外線を反射し、反射した紫外線を前記ボルトに当てる反射器を更に備えた請求項１２に記載の電気設備。
【請求項１４】
電気機器と、
前記電気機器を支持する支持体と、
前記支持体を固定するためのステンレス製のボルトと、
太陽光を反射し、反射した太陽光を前記ボルトに当てる反射器と、
を備えた電気設備。
【請求項１５】
前記ボルトは、前記支持体を下向きの面に固定する請求項１２から請求項１４の何れか一項に記載の電気設備。
【発明の詳細な説明】
【技術分野】
【０００１】
この発明は、照明装置及び電気設備に関する。
【背景技術】
【０００２】
特許文献１に照明装置が記載されている。特許文献１に記載された照明装置は、ＬＥＤ光源、ヒートシンク及びアームを備える。アームは、ＬＥＤ光源及びヒートシンクを支持する。アームは、例えばステンレス製のボルトを用いて、工場の天井等に取り付けられる。
【先行技術文献】
【特許文献】
【０００３】
【特許文献１】特開２０１４−２０３７２０号公報
【発明の概要】
【発明が解決しようとする課題】
【０００４】
ステンレス製のボルトは、塩化物イオン（Ｃｌ−）の濃度が高い環境下で腐食し易い。例えば、プール施設では、消毒剤として塩素系の薬剤が使用される。このため、 夜間にボルトに付着する結露水には塩化物イオンが含まれる。特許文献１に記載された照明装置をプール施設で使用すると、アームを固定するボルトの劣化が早いといった問題があった。このような問題は、例えば製品或いは部品の漂白を行う工場でも発生し得る。
【０００５】
ステンレス製のボルトは、照明装置以外の設備にも使用される。例えば、空調機の室内機、表示器、プロジェクター及び防犯カメラを天井等に固定するためにステンレス製のボルトが使用される。このような電気設備にも同様の問題が発生し得る。
【０００６】
この発明は、上述のような課題を解決するためになされた。この発明の目的は、ステンレス製のボルトの劣化を抑制できる照明装置を提供することである。この発明の他の目的は、ステンレス製のボルトの劣化を抑制できる電気設備を提供することである。
【課題を解決するための手段】
【０００７】
この発明に係る照明装置は、第１発光器と、第１発光器を支持する支持体と、支持体を固定するためのステンレス製の第１ボルトと、第１ボルトに紫外線を当てるための第２発光器と、を備える。
【０００８】
この発明に係る照明装置は、第１発光器と、第１発光器を支持する支持体と、支持体を固定するためのステンレス製の第１ボルトと、太陽光を反射し、反射した太陽光を第１ボルトに当てる反射器と、を備える。
【０００９】
この発明に係る電気設備は、電気機器と、電気機器を支持する支持体と、支持体を固定するためのステンレス製のボルトと、ボルトに紫外線を当てるための発光器と、を備える。
【００１０】
この発明に係る電気設備は、電気機器と、電気機器を支持する支持体と、支持体を固定するためのステンレス製のボルトと、太陽光を反射し、反射した太陽光をボルトに当てる反射器と、を備える。
【発明の効果】
【００１１】
この発明に係る照明装置は、ステンレス製の第１ボルトと第１ボルトに紫外線を当てるための第２発光器とを備える。また、この発明に係る照明装置は、ステンレス製の第１ボルトと反射した太陽光を第１ボルトに当てる反射器とを備える。この発明であれば、ステンレス製のボルトの劣化を抑制できる。
【図面の簡単な説明】
【００１２】
【図１】この発明の実施の形態１における照明装置の例を示す斜視図である。
【図２】この発明の実施の形態１における照明装置の例を示す側面図である。
【図３】この発明の実施の形態１における照明装置の例を示す平面図である。
【図４】照明装置の構成例を示す図である。
【図５】図２に示すＡ部を拡大した図である。
【図６】図３のＢ−Ｂ断面を示す図である。
【図７】この発明の実施の形態１における照明装置の動作例を示すフローチャートである。
【図８】照明装置の他の動作例を示すフローチャートである。
【図９】照明装置の他の動作例を示すフローチャートである。
【図１０】照明装置の他の例を示す図である。
【図１１】照明装置の他の例を示す図である。
【図１２】この発明の実施の形態２における照明装置の例を示す図である。
【発明を実施するための形態】
【００１３】
添付の図面を参照し、本発明を説明する。重複する説明は、適宜簡略化或いは省略する。各図において、同一の符号は同一の部分又は相当する部分を示す。
【００１４】
実施の形態１．
図１は、この発明の実施の形態１における照明装置１の例を示す斜視図である。図２は、この発明の実施の形態１における照明装置１の例を示す側面図である。図３は、この発明の実施の形態１における照明装置１の例を示す平面図である。図４は、照明装置１の構成例を示す図である。照明装置１は、例えば発光器２、支持体３、ボルト４、ボルト５、発光器６、発光器７及び制御器８を備える。
【００１５】
発光器２は光を発する。発光器２から発せられた光が照明用として利用される。例えば、照明装置１がプール施設で使用される場合、発光器２からの光によってプールの水面が照らされる。発光器２からの光によってプールサイドが照らされても良い。発光器２は、例えば下方或いは斜め下方に向けて光を発する。
【００１６】
発光器２は、例えばＬＥＤ（Ｌｉｇｈｔ  Ｅｍｉｔｔｉｎｇ  Ｄｉｏｄｅ）光源９及び放熱器１０を備える。ＬＥＤ光源９が発した熱は放熱器１０に伝わる。これにより、ＬＥＤ光源９の温度上昇が抑制される。放熱器１０は、例えばアルミ製である。発光器２の光源はＬＥＤ光源９に限定されない。例えば、発光器２の光源として水銀灯等を採用しても良い。発光器２の光源としてＬＥＤ光源９が採用される場合は、光源として水銀灯等が採用される場合より重量が大きくなる。
【００１７】
支持体３は、発光器２を支持する。支持体３は、例えばステンレス製の板部材である。本実施の形態では、支持体３がＵ字形状である例を示す。
【００１８】
ボルト４は、支持体３を発光器２に固定するためのステンレス製のボルトである。ボルト４は、例えばＳＵＳ３０４或いはＳＵＳ３１６等のステンレス鋼からなる。例えば、支持体３の各端部がボルト４によって発光器２に固定される。
【００１９】
ボルト５は、支持体３を施設の固定体１１に固定するためのステンレス製のボルトである。ボルト５は、例えばＳＵＳ３０４或いはＳＵＳ３１６等のステンレス鋼からなる。例えば、照明装置１がプール施設で使用される場合、支持体３の中央の部分がボルト５によってプールの上方に配置された梁等に固定される。本実施の形態では、ボルト５とナット１２とによって支持体３が固定体１１の下向きの面に固定される例を示す。例えば、ナット１２は、ＳＵＳ３０４或いはＳＵＳ３１６等のステンレス鋼からなる。ナット１２を使用せずにボルト５のみによって支持体３を固定体１１に固定しても良い。
【００２０】
発光器６は、紫外線を含む光を発する。例えば、発光器６から発せられる光には、波長が２５０ｎｍ〜４００ｎｍである紫外線が含まれる。発光器６は、紫外線のみを発しても良い。例えば、発光器２がＬＥＤ光源９を備える場合、発光器６は、紫外線ＬＥＤを備えることが好ましい。発光器６から発せられた紫外線を含む光は、ボルト５に当たる。本実施の形態に示す例では、発光器６から発せられた紫外線を含む光がボルト５及びナット１２の双方に当たる。
【００２１】
図５は、図２に示すＡ部を拡大した図である。発光器６は、例えば制御器８の上面に設けられる。発光器６は、発光器２に設けられても良い。発光器６は、例えば上方或いは斜め上方に向けて紫外線を含む光を発する。図５は、発光器６から発せられた光がボルト５及びナット１２に直接当たる例を示す。
【００２２】
発光器７は、紫外線を含む光を発する。例えば、発光器７から発せられる光には、波長が２５０ｎｍ〜４００ｎｍである紫外線が含まれる。発光器７は、紫外線のみを発しても良い。例えば、発光器２がＬＥＤ光源９を備える場合、発光器７は、紫外線ＬＥＤを備えることが好ましい。発光器７から発せられた紫外線を含む光は、ボルト４に当たる。
【００２３】
図６は、図３のＢ−Ｂ断面を示す図である。発光器７は、例えば発光器２の上面に設けられる。発光器７は、例えば上方或いは斜め上方に向けて、紫外線を含む光を発する。図６は、発光器７から発せられた光がボルト４に直接当たる例を示す。
【００２４】
制御器８は、発光器２、発光器６及び発光器７を制御する。制御器８は、発光器２、発光器６及び発光器７を発光させるための駆動回路を備える。制御器８は、例えばスイッチ等からの入力信号に基づいて、発光器２の発光を制御する。制御器８は、例えば発光器６を常に発光させる。制御器８は、例えば発光器７を常に発光させる。
【００２５】
照明装置１は、塩化物イオン（Ｃｌ−）の濃度が高い環境下でも使用することができる。例えば、プール施設で照明装置１が使用されると、夜間に照明装置１に結露水が付着する。この結露水には塩化物イオンが含まれる。照明装置１では、発光器６からの光がボルト５に当てられる。発光器６からの光には紫外線が含まれる。ボルト５に付着した結露水に紫外線が当てられると、結露水から塩化物イオンを除去することができる。これにより、ステンレス製のボルト５の劣化を抑制することができる。
【００２６】
同様に、照明装置１では、発光器７からの光がボルト４に当てられる。発光器７からの光には紫外線が含まれる。ボルト４に付着した結露水に紫外線が当てられると、結露水から塩化物イオンを除去することができる。これにより、ステンレス製のボルト４の劣化を抑制することができる。
【００２７】
なお、ボルト４の取り付けは、一定の品質を確保できる製造工場等で行うことができる。一方、ボルト５の取り付けは、照明装置１が実際に据え付けられる現場で行わなければならない。このため、ボルト４の劣化よりボルト５の劣化の方が早く進行する可能性が高い。照明装置１に発光器７が備えられていなくても発光器６が備えられていれば、一定の効果は期待できる。
【００２８】
次に、図７から図９も参照し、照明装置１の動作例について説明する。
【００２９】
図７は、この発明の実施の形態１における照明装置１の動作例を示すフローチャートである。制御器８は、発光器２の発光状態に基づいて発光器６を制御しても良い。例えば、制御器８は、発光器２が発光しているか否かを判定する（Ｓ１０１）。発光器２が発光していると、放熱器１０の温度及び放熱器１０の周囲の空気の温度が高くなる。このため、ボルト５に結露水が付着し難い。制御器８は、発光器２が発光していれば、発光器６を発光させない（Ｓ１０２）。図７に示す例では、発光器２が発光していれば、ボルト５に発光器６からの紫外線は当てられない。一方、制御器８は、発光器２が発光していなければ、発光器６を発光させる（Ｓ１０３）。これにより、ボルト５に発光器６からの紫外線が当てられる。図７に示す例であれば、ボルト５に結露水が付着し易い時にボルト５に発光器６からの紫外線を当てることができる。
【００３０】
なお、発光器２が消灯した直後は、ボルト５に結露水が付着し難い。制御器８は、発光器２を消灯させてから一定時間が経過するまでは発光器６を発光させなくても良い。かかる場合、制御器８は、発光器２を消灯させてから一定時間が経過すると、発光器６を発光させる。
【００３１】
制御器８は、図７に示す制御と同様の制御を発光器７に対して行っても良い。
【００３２】
図８は、照明装置１の他の動作例を示すフローチャートである。制御器８は、現在時刻に基づいて発光器６を制御しても良い。制御器８に、第１時刻及び第２時刻が予め記憶される。例えば、制御器８は、現在の時刻が第１時刻であるか否かを判定する（Ｓ２０１）。制御器８は、現在の時刻が第１時刻になると、発光器６を発光させる（Ｓ２０２）。これにより、ボルト５に発光器６からの紫外線が当てられる。第１時刻は、発光器６の発光を開始させるための時刻である。ボルト５に結露水が付着するのは夜であることが多い。例えば、プール施設で照明装置１が使用される場合、第１時刻としてプール施設の営業終了時刻を設定しても良い。プール施設の営業終了時刻から一定時間が経過した時刻を第１時刻として設定しても良い。
【００３３】
次に、制御器８は、現在の時刻が第２時刻であるか否かを判定する（Ｓ２０３）。制御器８は、現在の時刻が第２時刻になると、発光器６を発光させない（Ｓ２０４）。図８に示す例では、第２時刻から第１時刻の間はボルト５に発光器６からの紫外線は当てられない。第２時刻は、発光器６の発光を終了させるための時刻である。例えば、プール施設で照明装置１が使用される場合、第２時刻としてプール施設の営業開始時刻を設定しても良い。プール施設の営業開始時刻から一定時間が経過した時刻を第２時刻として設定しても良い。図８に示す例であれば、ボルト５に結露水が付着し易い時間帯にボルト５に発光器６からの紫外線を当てることができる。
【００３４】
制御器８は、図８に示す制御と同様の制御を発光器７に対して行っても良い。
【００３５】
図９は、照明装置１の他の動作例を示すフローチャートである。制御器８は、湿度に基づいて発光器６を制御しても良い。例えば、照明装置１は湿度計１３を備える。湿度計１３は、湿度を検出する。湿度計１３は、例えば発光器２に設けられる。湿度計１３は、制御器８又は支持体３に設けられても良い。制御器８に、湿度の基準値が予め記憶される。
【００３６】
例えば、制御器８は、湿度計１３によって検出された湿度が基準値以上であるか否かを判定する（Ｓ３０１）。湿度が高くなるとボルト５に結露水が付着し易い。制御器８は、湿度計１３によって検出された湿度が基準値以上であれば、発光器６を発光させる（Ｓ３０２）。これにより、ボルト５に発光器６からの紫外線が当てられる。制御器８は、湿度計１３によって検出された湿度が基準値より低ければ、発光器６を発光させない（Ｓ３０３）。即ち、図９に示す例では、照明装置１の周囲の湿度が基準値より低ければ、ボルト５に発光器６からの紫外線は当てられない。図９に示す例であれば、ボルト５に結露水が付着し易い時にボルト５に発光器６からの紫外線を当てることができる。
【００３７】
図１０は、照明装置１の他の例を示す図である。図５に示す例では、発光器６から発せられた光がボルト５及びナット１２に直接当てられた。しかし、ボルト５及びナット１２に光を直接当てることができる位置に発光器６を取り付けることができない場合がある。例えば、既設の照明装置に発光器６を取り付ける場合は、発光器６の取り付け位置が制限される。かかる場合、照明装置１は、反射器１４を更に備えても良い。反射器１４は、発光器６が発した紫外線を含む光を反射する。ボルト５及びナット１２には、反射器１４によって反射された発光器６からの光が当てられる。
【００３８】
図１１は、照明装置１の他の例を示す図である。図６に示す例では、発光器７から発せられた光がボルト４に直接当てられた。しかし、ボルト４に光を直接当てることができる位置に発光器７を取り付けることができない場合がある。例えば、既設の照明装置に発光器７を取り付ける場合は、発光器７の取り付け位置が制限される。かかる場合、照明装置１は、反射器１５を更に備えても良い。反射器１５は、発光器７が発した紫外線を含む光を反射する。ボルト４には、反射器１５によって反射された発光器７からの光が当てられる。
【００３９】
実施の形態２．
実施の形態１では、発光器６が発した光をボルト５に当てる例について説明した。紫外線は太陽光にも含まれる。本実施の形態では、ボルト５に太陽光を積極的に当てる例について説明する。
【００４０】
本実施の形態における照明装置１は、例えば発光器２、支持体３、ボルト４、ボルト５、反射器１６及び制御器８を備える。本実施の形態における照明装置１は、発光器６の代わりに反射器１６を備える。照明装置１が備える他の要素は、実施の形態１で開示した例と同様である。
【００４１】
図１２は、この発明の実施の形態２における照明装置１の例を示す図である。図１２は、図２のＡ部を拡大した図に相当する図である。反射器１６は、例えば制御器８の上面に設けられる。反射器１６は、発光器２に設けられても良い。反射器１６は、太陽光を反射する。ボルト５には、反射器１６によって反射された太陽光が当てられる。反射器１６或いは他の反射器によって反射された太陽光をボルト４に当てても良い。
【００４２】
本実施の形態に示す例は、照明装置１が屋外に設置される場合に好適である。更に、本実施の形態に示す例は、太陽からの光がボルト５に直接当たらない場合に好適である。例えば、支持体３がボルト５によって固定体１１の下向きの面に固定される場合は、ボルト５が固定体１１の陰になって太陽からの光がボルト５に直接当たらない。かかる場合は、反射器１６を備えることによってボルト５に紫外線を当てることができる。
【００４３】
実施の形態１及び２では、照明装置１に備えられたボルト４及びボルト５に紫外線を当てる例について説明した。照明装置１以外の電気設備にステンレス製のボルトが使用されている場合は、実施の形態１及び２で説明した例と同様に、そのボルトに紫外線を当てることによってボルトの劣化を抑制することができる。照明装置１以外の電気設備として、例えば、空調機の室内機、表示器、プロジェクター及び防犯カメラ等が挙げられる。
【００４４】
電気設備は、例えば電気機器、支持体、ステンレス製のボルト及び発光器を備える。支持体は、電気機器を支持する。支持体は、ステンレス製のボルトによって固定体に固定される。発光器は、紫外線を含む光を発する。発光器は、紫外線のみを発しても良い。発光器からの紫外線を含む光がステンレス製のボルトに当てられる。また、電気設備は、発光器からの光を反射してその反射光をボルトに当てる反射器を更に備えても良い。
【００４５】
電気設備は、上記発光器の代わりに反射器を備えても良い。かかる場合、反射器は太陽光を反射する。ステンレス製のボルトには、反射器によって反射された太陽光が当てられる。
【００４６】
電気設備が備える各要素の構成は、実施の形態１或いは２で開示した対応する要素の構成と同様である。例えば、ステンレス製のボルトによって支持体を固定体の下向きの面に固定しても良い。
【００４７】
制御器８は、ハードウェア資源として、例えばプロセッサ１７とメモリ１８とを含む処理回路を備える。制御器８は、メモリ１８に記憶されたプログラムをプロセッサ１７によって実行することにより、上述した各機能を実現する。制御器８が有する各機能の一部又は全部をハードウェアによって実現しても良い。
【符号の説明】
【００４８】
１  照明装置
２  発光器（第１発光器）
３  支持体
４  ボルト（第２ボルト）
５  ボルト（第１ボルト）
６  発光器（第２発光器）
７  発光器（第３発光器）
８  制御器
９  ＬＥＤ光源
１０  放熱器
１１  固定体
１２  ナット
１３  湿度計
１４  反射器（第１反射器）
１５  反射器（第２反射器）
１６  反射器
１７  プロセッサ
１８  メモリ
【図１】
2018022612.tif 000003
【図２】
2018022612.tif 000004
【図３】
2018022612.tif 000005
【図４】
2018022612.tif 000006
【図５】
2018022612.tif 000007
【図６】
2018022612.tif 000008
【図７】
2018022612.tif 000009
【図８】
2018022612.tif 000010
【図９】
2018022612.tif 000011
【図１０】
2018022612.tif 000012
【図１１】
2018022612.tif 000013
【図１２】
2018022612.tif 000014